(57)【要約】【課題】デザイン制作の目標となる印象を適確に把握することを可能とする。【解決手段】印象の傾向を示す少なくとも１つの嗜好因子スケールに印象の傾向に合わせて割り付けられた選択肢群から、選択肢をユーザに選択させ、選択された選択肢に応じて、嗜好因子スケール上での嗜好評価点を定め、嗜好因子スケールを区分するスコア毎に求められた選択度数を登録した嗜好因子データベースを参照して、ドキュメントのデザインの印象をそれぞれ表す複数の印象情報について、嗜好因子スケール上での各印象情報の印象を示す基準点と嗜好評価点との補正された距離を算出し、算出された補正された距離に基づいて、ドキュメントのデザイン制作の目標とする印象や実際のドキュメントのデザインからユーザが受ける印象に合った印象情報を設定する。【選択図】図３
2008065371.tif 000002
【特許請求の範囲】
【請求項１】
印象の傾向を示す少なくとも１つの嗜好因子スケールに印象の傾向に合わせて割り付けられた選択肢群から、ドキュメントのデザイン制作の目標とする印象に合った選択肢をユーザに選択させて取得する情報選択手段と、
前記情報選択手段において取得された選択肢に応じて、嗜好因子スケール上でのドキュメントのデザイン制作の目標とする印象を示す嗜好評価点を定める嗜好評価点設定手段と、
嗜好因子スケールを区分するスコア毎に求められた選択度数を登録した嗜好因子データベースを参照して、ドキュメントのデザインの印象をそれぞれ表す複数の印象情報について、嗜好因子スケール上での各印象情報の印象を示す基準点と前記嗜好評価点との補正された距離を算出する補正距離算出手段と、
前記補正距離算出手段によって算出された補正された距離に基づいて、嗜好因子スケール上での各印象情報の印象を示す基準点と前記嗜好評価点とのマッチング処理を行い、ドキュメントのデザイン制作の目標とする印象に合った印象情報を目標印象情報として設定する目標印象情報決定手段と、
を備えることを特徴とするデザイン制作支援装置。
【請求項２】
請求項１に記載のデザイン制作支援装置において、
前記補正距離算出手段は、
嗜好因子スケール上での各印象情報の印象を示す基準点とスコアとの距離に、当該スコアに対する選択度数を乗算し、当該嗜好因子スケールのスコアに対する総選択度数を除算して算出される第１の距離と、
当該嗜好因子スケール上での前記嗜好評価点とスコアとの距離に、当該スコアに対する選択度数を乗算し、当該嗜好因子スケールのスコアに対する総選択度数を除算して算出される第２の距離と、
の差を当該嗜好因子スケール上での各印象情報の印象を示す基準点と前記嗜好評価点との補正された距離として算出することを特徴とするデザイン制作支援装置。
【請求項３】
請求項１又は２に記載のデザイン制作支援装置において、
前記情報選択手段は、異なる印象の傾向を示す複数の嗜好因子スケールのそれぞれに印象の傾向に合わせて割り付けられた選択肢群からドキュメントのデザイン制作の目標とする印象に合った選択肢を少なくとも１つずつユーザに選択させて取得し、
前記嗜好評価点設定手段は、前記複数の嗜好因子スケールのそれぞれについて少なくとも１つ選択された選択肢に応じて、前記複数の嗜好因子スケール上におけるドキュメントのデザイン制作の目標とする印象を示す嗜好評価点の組み合わせからなる嗜好評価パターンを定め、
前記補正距離算出手段は、前記複数の嗜好因子スケールを区分するスコア毎に求められた選択度数を登録した嗜好因子データベースを参照して、ドキュメントのデザインの印象をそれぞれ表す複数の印象情報について、前記複数の嗜好因子スケール上での各印象情報の印象を示す基準パターンを構成する基準点と前記嗜好評価パターンの嗜好評価点との補正された距離を算出し、
前記目標印象情報決定手段は、前記補正距離算出手段によって算出された補正された距離に基づいて、前記嗜好因子スケール上での各印象情報の印象を示す基準パターンと、前記嗜好評価パターンと、のマッチング処理を行い、ドキュメントのデザイン制作の目標とする印象に合った印象情報を目標印象情報として設定することを特徴とするデザイン制作支援装置。
【請求項４】
請求項１〜３のいずれか１つに記載のデザイン制作支援装置において、
前記選択肢群は、形容詞群、カラーパッチ群、カラーパレット群及び具象化された画像群のうちの少なくとも１種であることを特徴とするデザイン制作支援装置。
【請求項５】
請求項１〜４のいずれか１つに記載のデザイン制作支援装置であって、
出力画面の領域を複数の分割画面領域に分割し、前記分割画面領域毎に印象情報を割り当て、前記目標印象情報決定手段で決定された目標印象情報が割り当てられた前記分割画面領域に前記目標印象情報決定手段で決定された目標印象情報を表示する出力手段を備えることを特徴とするデザイン制作支援装置。
【請求項６】
印象の傾向を示す少なくとも１つの嗜好因子スケールに印象の傾向に合わせて割り付けられた選択肢群から、実際のドキュメントのデザインからユーザが受ける印象に合った選択肢をユーザに選択させて取得する情報選択手段と、
前記情報選択手段において取得された選択肢に応じて、嗜好因子スケール上での実際のドキュメントのデザインからユーザが受ける印象を示す嗜好評価点を定める嗜好評価点設定手段と、
嗜好因子スケールを区分するスコア毎に求められた選択度数を登録した嗜好因子データベースを参照して、ドキュメントのデザインの印象をそれぞれ表す複数の印象情報について、嗜好因子スケール上での各印象情報の印象を示す基準点と前記嗜好評価点との補正された距離を算出する補正距離算出手段と、
前記補正距離算出手段によって算出された補正された距離に基づいて、嗜好因子スケール上での各印象情報の印象を示す基準点と前記嗜好評価点とのマッチング処理を行い、実際のドキュメントのデザインからユーザが受ける印象に合った印象情報をユーザ印象情報として設定するユーザ印象情報決定手段と、
を備えることを特徴とするデザイン制作支援装置。
【請求項７】
請求項６に記載のデザイン制作支援装置において、
前記補正距離算出手段は、
嗜好因子スケール上での各印象情報の印象を示す基準点とスコアとの距離に、当該スコアに対する選択度数を乗算し、当該嗜好因子スケールのスコアに対する総選択度数を除算して算出される第１の距離と、
当該嗜好因子スケール上での前記嗜好評価点とスコアとの距離に、当該スコアに対する選択度数を乗算し、当該嗜好因子スケールのスコアに対する総選択度数を除算して算出される第２の距離と、
の差を当該嗜好因子スケール上での各印象情報の印象を示す基準点と前記嗜好評価点との補正された距離として算出することを特徴とするデザイン制作支援装置。
【請求項８】
請求項６又は７に記載のデザイン制作支援装置において、
前記情報選択手段は、異なる印象の傾向を示す複数の嗜好因子スケールのそれぞれに印象の傾向に合わせて割り付けられた選択肢群から実際のドキュメントのデザインからユーザが受ける印象に合った選択肢を少なくとも１つずつユーザに選択させて取得し、
前記嗜好評価点設定手段は、前記複数の嗜好因子スケールのそれぞれについて少なくとも１つ選択された選択肢に応じて、前記複数の嗜好因子スケール上における実際のドキュメントのデザインからユーザが受ける印象を示す嗜好評価点の組み合わせからなる嗜好評価パターンを定め、
前記補正距離算出手段は、前記複数の嗜好因子スケールを区分するスコア毎に求められた選択度数を登録した嗜好因子データベースを参照して、ドキュメントのデザインの印象をそれぞれ表す複数の印象情報について、前記複数の嗜好因子スケール上での各印象情報の印象を示す基準パターンを構成する基準点と前記嗜好評価パターンの嗜好評価点との補正された距離を算出し、
前記ユーザ印象情報決定手段は、前記補正距離算出手段によって算出された補正された距離に基づいて、前記嗜好因子スケール上での各印象情報の印象を示す基準パターンと、前記嗜好評価パターンと、のマッチング処理を行い、実際のドキュメントのデザインからユーザが受ける印象に合った印象情報をユーザ印象情報として設定することを特徴とするデザイン制作支援装置。
【請求項９】
請求項６〜８のいずれか１つに記載のデザイン制作支援装置において、
前記選択肢群は、形容詞群、カラーパッチ群、カラーパレット群及び具象化された画像群のうちの少なくとも１種であることを特徴とするデザイン制作支援装置。
【請求項１０】
請求項６〜９のいずれか１つに記載のデザイン制作支援装置であって、
出力画面の領域を複数の分割画面領域に分割し、前記分割画面領域毎に印象情報を割り当て、前記ユーザ印象情報決定手段で決定されたユーザ印象情報が割り当てられた前記分割画面領域に前記ユーザ印象情報決定手段で決定されたユーザ印象情報を表示する出力手段を備えることを特徴とするデザイン制作支援装置。
【請求項１１】
印象の傾向を示す少なくとも１つの嗜好因子スケールに印象の傾向に合わせて割り付けられた選択肢群から、ドキュメントのデザイン制作の目標とする印象に合った選択肢をユーザに選択させて取得する第１の情報選択手段と、
前記第１の情報選択手段において取得された選択肢に応じて、嗜好因子スケール上でのドキュメントのデザイン制作の目標とする印象を示す第１の嗜好評価点を定める第１の嗜好評価点設定手段と、
嗜好因子スケールを区分するスコア毎に求められた選択度数を登録した嗜好因子データベースを参照して、ドキュメントのデザインの印象をそれぞれ表す複数の印象情報について、嗜好因子スケール上での各印象情報の印象を示す基準点と前記第１の嗜好評価点との補正された距離を算出する第１の補正距離算出手段と、
前記第１の補正距離算出手段によって算出された補正された距離に基づいて、嗜好因子スケール上での各印象情報の印象を示す基準点と前記第１の嗜好評価点とのマッチング処理を行い、ドキュメントのデザイン制作の目標とする印象に合った印象情報を目標印象情報として設定する目標印象情報決定手段と、
前記選択肢群から、実際のドキュメントのデザインからユーザが受ける印象に合った選択肢をユーザに選択させて取得する第２の情報選択手段と、
前記第２の情報選択手段において取得された選択肢に応じて、嗜好因子スケール上での実際のドキュメントのデザインからユーザが受ける印象を示す第２の嗜好評価点を定める第２の嗜好評価点設定手段と、
前記嗜好因子データベースを参照して、複数の印象情報について、嗜好因子スケール上での各印象情報の印象を示す基準点と前記第２の嗜好評価点との補正された距離を算出する第２の補正距離算出手段と、
前記第２の補正距離算出手段によって算出された補正された距離に基づいて、嗜好因子スケール上での各印象情報の印象を示す基準点と前記第２の嗜好評価点とのマッチング処理を行い、実際のドキュメントのデザインからユーザが受ける印象に合った印象情報をユーザ印象情報として設定するユーザ印象情報決定手段と、
前記目標印象情報決定手段で設定された目標印象情報と前記ユーザ印象情報決定手段で設定されたユーザ印象情報との相違を示す評価値を算出する評価値算出手段と、
を備えることを特徴とするデザイン制作支援装置。
【請求項１２】
請求項１１に記載のデザイン制作支援装置であって、
前記評価値算出手段は、嗜好因子スケール上での前記第１の嗜好評価点と前記第２の嗜好評価点との距離に応じて、前記評価値を算出することを特徴とするデザイン制作支援装置。
【請求項１３】
コンピュータを、
印象の傾向を示す少なくとも１つの嗜好因子スケールに印象の傾向に合わせて割り付けられた選択肢群から、ドキュメントのデザイン制作の目標とする印象に合った選択肢をユーザに選択させて取得する情報選択手段と、
前記情報選択手段において取得された選択肢に応じて、嗜好因子スケール上でのドキュメントのデザイン制作の目標とする印象を示す嗜好評価点を定める嗜好評価点設定手段と、
嗜好因子スケールを区分するスコア毎に求められた選択度数を登録した嗜好因子データベースを参照して、ドキュメントのデザインの印象をそれぞれ表す複数の印象情報について、嗜好因子スケール上での各印象情報の印象を示す基準点と前記嗜好評価点との補正された距離を算出する補正距離算出手段と、
前記補正距離算出手段によって算出された補正された距離に基づいて、嗜好因子スケール上での各印象情報の印象を示す基準点と前記嗜好評価点とのマッチング処理を行い、ドキュメントのデザイン制作の目標とする印象に合った印象情報を目標印象情報として設定する目標印象情報決定手段と、
として機能させることを特徴とするデザイン制作支援プログラム。
【請求項１４】
コンピュータを、
印象の傾向を示す少なくとも１つの嗜好因子スケールに印象の傾向に合わせて割り付けられた選択肢群から、実際のドキュメントのデザインからユーザが受ける印象に合った選択肢をユーザに選択させて取得する情報選択手段と、
前記情報選択手段において取得された選択肢に応じて、嗜好因子スケール上での実際のドキュメントのデザインからユーザが受ける印象を示す嗜好評価点を定める嗜好評価点設定手段と、
嗜好因子スケールを区分するスコア毎に求められた選択度数を登録した嗜好因子データベースを参照して、ドキュメントのデザインの印象をそれぞれ表す複数の印象情報について、嗜好因子スケール上での各印象情報の印象を示す基準点と前記嗜好評価点との補正された距離を算出する補正距離算出手段と、
前記補正距離算出手段によって算出された補正された距離に基づいて、嗜好因子スケール上での各印象情報の印象を示す基準点と前記嗜好評価点とのマッチング処理を行い、実際のドキュメントのデザインからユーザが受ける印象に合った印象情報をユーザ印象情報として設定するユーザ印象情報決定手段と、
として機能させることを特徴とするデザイン制作支援プログラム。
【請求項１５】
コンピュータを、
印象の傾向を示す少なくとも１つの嗜好因子スケールに印象の傾向に合わせて割り付けられた選択肢群から、ドキュメントのデザイン制作の目標とする印象に合った選択肢をユーザに選択させて取得する第１の情報選択手段と、
前記第１の情報選択手段において取得された選択肢に応じて、嗜好因子スケール上でのドキュメントのデザイン制作の目標とする印象を示す第１の嗜好評価点を定める第１の嗜好評価点設定手段と、
嗜好因子スケールを区分するスコア毎に求められた選択度数を登録した嗜好因子データベースを参照して、ドキュメントのデザインの印象をそれぞれ表す複数の印象情報について、嗜好因子スケール上での各印象情報の印象を示す基準点と前記第１の嗜好評価点との補正された距離を算出する第１の補正距離算出手段と、
前記第１の補正距離算出手段によって算出された補正された距離に基づいて、嗜好因子スケール上での各印象情報の印象を示す基準点と前記第１の嗜好評価点とのマッチング処理を行い、ドキュメントのデザイン制作の目標とする印象に合った印象情報を目標印象情報として設定する目標印象情報決定手段と、
前記選択肢群から、実際のドキュメントのデザインからユーザが受ける印象に合った選択肢をユーザに選択させて取得する第２の情報選択手段と、
前記第２の情報選択手段において取得された選択肢に応じて、嗜好因子スケール上での実際のドキュメントのデザインからユーザが受ける印象を示す第２の嗜好評価点を定める第２の嗜好評価点設定手段と、
前記嗜好因子データベースを参照して、複数の印象情報について、嗜好因子スケール上での各印象情報の印象を示す基準点と前記第２の嗜好評価点との補正された距離を算出する第２の補正距離算出手段と、
前記第２の補正距離算出手段によって算出された補正された距離に基づいて、嗜好因子スケール上での各印象情報の印象を示す基準点と前記第２の嗜好評価点とのマッチング処理を行い、実際のドキュメントのデザインからユーザが受ける印象に合った印象情報をユーザ印象情報として設定するユーザ印象情報決定手段と、
前記目標印象情報決定手段で設定された目標印象情報と前記ユーザ印象情報決定手段で設定されたユーザ印象情報との相違を示す評価値を算出する評価値算出手段と、
として機能させることを特徴とするデザイン制作支援プログラム。
【発明の詳細な説明】
【技術分野】
【０００１】
本発明は、目標とするデザインの印象、実際に制作されたデザインの印象及びデザインからユーザが受ける印象に基づいてデザイン制作の支援を行うデザイン制作支援装置及びデザイン制作支援プログラムに関する。
【背景技術】
【０００２】
企業のコーポレートマーク、商品、プレゼンテーション資料やウェブサイトのページ等に施されたデザインは顧客や使用者等が受ける印象（イメージ）に対して大きな影響を与える。従って、そのデザイン制作においては、企業戦略、商品販売戦略、情報提供等をする者が受け手（ユーザ）に対して与えようとする印象を的確に表現することが重要である。
【０００３】
例えば、商品のデザイン制作をデザイン制作者に依頼して行う場合には、図４５に示すように、依頼主であるクライアントが商品やプレゼンテーション資料に必要とされる目標印象を決定し（Ｓ１００）、デザイン制作者がその印象に合致するデザインの制作を行い（Ｓ１０２）、制作されたデザインの印象の評価を行い（Ｓ１０４）、必要とする印象と現実のデザインの印象との相違に基づいて依頼主はデザイン修正が必要な場合は修正を指示し、修正が必要でない場合には最終的なデザインが決定される（Ｓ１０６）。
【０００４】
このようなデザイン制作の中で、商品、プレゼンテーション資料及びウェブページ等のドキュメントの描画・着色を支援するアプリケーションソフトウェアが多数開発されている。これらの多くは、実際の着色をアプリケーションの使用者に委ねており、デザイン制作に不慣れな使用者は印象を的確に表すことが困難である。
【０００５】
そこで、人間の感性に基づいて処理やドキュメントの印象評価を行う方法についての研究がなされている。
【０００６】
特許文献１には、デザイン制作の際に目標となる印象に関する文字情報を目標イメージとして決定する目標イメージ決定工程と、実際に制作されたデザインの印象に関する文字情報をデザインイメージとして求めるデザインイメージ評価工程とを実行し、イメージに関する文字情報を表示画面の各領域に割り当てたイメージマップ画面と、イメージマップ画面の領域のうち目標イメージ情報に対応する領域に目標イメージ情報と、デザインイメージ情報に対応する領域にデザインイメージと、を重ね合わせて表示する技術が開示されている。
【０００７】
【特許文献１】特開２００４−１０２７３４号公報
【発明の開示】
【発明が解決しようとする課題】
【０００８】
ところで、デザイン制作の目標となる印象や実際のドキュメントからユーザが受ける印象を評価するためには、２つ以上の異なる評価の座標軸に沿って評価を行うことが好ましい。そこで、複数の評価軸に沿ってデザインの印象を評価した結果のパターンに応じて、デザイン制作の目標となる印象や実際のドキュメントからユーザが受ける印象を評価する方法が考えられる。
【０００９】
ところが、これまでのデザイン評価技術では、被験者（ユーザ）の嗜好調査データ等を予め統計処理により因子分析した結果に基づいて評価のための評価軸（嗜好因子スケール）を決定しているが、各評価軸のスケールを基本的に連続かつ線形であるとして評価を行っているので、実際に目標としようとするイメージや実際のデザインからユーザが受けるイメージを的確に評価することができない問題がある。
【００１０】
本発明は、上記従来の技術の課題を鑑み、デザイン制作の目標となる目標印象情報や実際のデザインから受けた印象を示すユーザ印象情報をより高い制度で評価することを可能としたデザイン制作支援装置及びデザイン制作支援プログラムを提供することを目的とする。
【課題を解決するための手段】
【００１１】
本発明は、印象の傾向を示す少なくとも１つの嗜好因子スケールに印象の傾向に合わせて割り付けられた選択肢群から、ドキュメントのデザイン制作の目標とする印象に合った選択肢をユーザに選択させて取得する情報選択手段と、前記情報選択手段において取得された選択肢に応じて、嗜好因子スケール上でのドキュメントのデザイン制作の目標とする印象を示す嗜好評価点を定める嗜好評価点設定手段と、嗜好因子スケールを区分するスコア毎に求められた選択度数を登録した嗜好因子データベースを参照して、ドキュメントのデザインの印象をそれぞれ表す複数の印象情報について、嗜好因子スケール上での各印象情報の印象を示す基準点と前記嗜好評価点との補正された距離を算出する補正距離算出手段と、前記補正距離算出手段によって算出された補正された距離に基づいて、嗜好因子スケール上での各印象情報の印象を示す基準点と前記嗜好評価点とのマッチング処理を行い、ドキュメントのデザイン制作の目標とする印象に合った印象情報を目標印象情報として設定する目標印象情報決定手段と、を備えることを特徴とするデザイン制作支援装置である。
【００１２】
このデザイン制作支援装置は、コンピュータを、印象の傾向を示す少なくとも１つの嗜好因子スケールに印象の傾向に合わせて割り付けられた選択肢群から、ドキュメントのデザイン制作の目標とする印象に合った選択肢をユーザに選択させて取得する情報選択手段と、前記情報選択手段において取得された選択肢に応じて、嗜好因子スケール上でのドキュメントのデザイン制作の目標とする印象を示す嗜好評価点を定める嗜好評価点設定手段と、嗜好因子スケールを区分するスコア毎に求められた選択度数を登録した嗜好因子データベースを参照して、ドキュメントのデザインの印象をそれぞれ表す複数の印象情報について、嗜好因子スケール上での各印象情報の印象を示す基準点と前記嗜好評価点との補正された距離を算出する補正距離算出手段と、前記補正距離算出手段によって算出された補正された距離に基づいて、嗜好因子スケール上での各印象情報の印象を示す基準点と前記嗜好評価点とのマッチング処理を行い、ドキュメントのデザイン制作の目標とする印象に合った印象情報を目標印象情報として設定する目標印象情報決定手段と、として機能させることを特徴とするデザイン制作支援プログラムにより実現することができる。
【００１３】
統計的手法により印象の傾向を示す嗜好因子スケールを設定し、その嗜好因子スケールを分割する各スコアについてのユーザの選択度数に基づいて、嗜好因子スケール上の点間の距離を補正する。この補正手法を用いて、ユーザがデザイン制作の目標とすべきとした印象を示す嗜好評価点（嗜好評価パターン）と、印象を端的に表す印象情報の基準点（基準パターン）と、マッチングを行い、マッチング結果に基づいてユーザがデザイン制作の目標とすべき目標印象情報を決定することかできる。
【００１４】
より具体的には、前記補正距離算出手段は、嗜好因子スケール上での各印象情報の印象を示す基準点とスコアとの距離に、当該スコアに対する選択度数を乗算し、当該嗜好因子スケールのスコアに対する総選択度数を除算して算出される第１の距離と、当該嗜好因子スケール上での前記嗜好評価点とスコアとの距離に、当該スコアに対する選択度数を乗算し、当該嗜好因子スケールのスコアに対する総選択度数を除算して算出される第２の距離と、の差を当該嗜好因子スケール上での各印象情報の印象を示す基準点と前記嗜好評価点との補正された距離として算出してもよい。
【００１５】
また、基準となる嗜好因子スケールは１つであることに限定されない。前記情報選択手段は、異なる印象の傾向を示す複数の嗜好因子スケールのそれぞれに印象の傾向に合わせて割り付けられた選択肢群からドキュメントのデザイン制作の目標とする印象に合った選択肢を少なくとも１つずつユーザに選択させて取得し、前記嗜好評価点設定手段は、前記複数の嗜好因子スケールのそれぞれについて少なくとも１つ選択された選択肢に応じて、前記複数の嗜好因子スケール上におけるドキュメントのデザイン制作の目標とする印象を示す嗜好評価点の組み合わせからなる嗜好評価パターンを定め、前記補正距離算出手段は、前記複数の嗜好因子スケールを区分するスコア毎に求められた選択度数を登録した嗜好因子データベースを参照して、ドキュメントのデザインの印象をそれぞれ表す複数の印象情報について、前記複数の嗜好因子スケール上での各印象情報の印象を示す基準パターンを構成する基準点と前記嗜好評価パターンの嗜好評価点との補正された距離を算出し、前記目標印象情報決定手段は、前記補正距離算出手段によって算出された補正された距離に基づいて、前記嗜好因子スケール上での各印象情報の印象を示す基準パターンと、前記嗜好評価パターンと、のマッチング処理を行い、ドキュメントのデザイン制作の目標とする印象に合った印象情報を目標印象情報として設定してもよい。
【００１６】
また、前記選択肢群は、形容詞群、カラーパッチ群、カラーパレット群及び具象化された画像群のうちの少なくとも１種としてもよい。これらの選択肢群を用いることによって、ユーザは、本来抽象的であるデザインの印象をより具象化された選択肢の印象に当てはめて、ドキュメントのデザイン制作の目標とする印象をより抽象化された印象表現によって評価することができる。
【００１７】
また、出力画面の領域を複数の分割画面領域に分割し、前記分割画面領域毎に印象情報を割り当て、前記目標印象情報決定手段で決定された目標印象情報が割り当てられた前記分割画面領域に前記目標印象情報決定手段で決定された目標印象情報を表示する出力手段を備えてもよい。
【００１８】
このように、決定された目標印象情報を、所定の印象の傾向を示す嗜好因子スケールで構成される印象マップに割り付けて呈示することによって、ユーザはデザイン制作の目標とすべき印象を直感的かつ視覚的に把握することができる。
【００１９】
また、本発明は、印象の傾向を示す少なくとも１つの嗜好因子スケールに印象の傾向に合わせて割り付けられた選択肢群から、実際のドキュメントのデザインからユーザが受ける印象に合った選択肢をユーザに選択させて取得する情報選択手段と、前記情報選択手段において取得された選択肢に応じて、嗜好因子スケール上での実際のドキュメントのデザインからユーザが受ける印象を示す嗜好評価点を定める嗜好評価点設定手段と、嗜好因子スケールを区分するスコア毎に求められた選択度数を登録した嗜好因子データベースを参照して、ドキュメントのデザインの印象をそれぞれ表す複数の印象情報について、嗜好因子スケール上での各印象情報の印象を示す基準点と前記嗜好評価点との補正された距離を算出する補正距離算出手段と、前記補正距離算出手段によって算出された補正された距離に基づいて、嗜好因子スケール上での各印象情報の印象を示す基準点と前記嗜好評価点とのマッチング処理を行い、実際のドキュメントのデザインからユーザが受ける印象に合った印象情報をユーザ印象情報として設定するユーザ印象情報決定手段と、を備えることを特徴とするデザイン制作支援装置である。
【００２０】
このようなデザイン制作支援装置は、コンピュータを、印象の傾向を示す少なくとも１つの嗜好因子スケールに印象の傾向に合わせて割り付けられた選択肢群から、実際のドキュメントのデザインからユーザが受ける印象に合った選択肢をユーザに選択させて取得する情報選択手段と、前記情報選択手段において取得された選択肢に応じて、嗜好因子スケール上での実際のドキュメントのデザインからユーザが受ける印象を示す嗜好評価点を定める嗜好評価点設定手段と、嗜好因子スケールを区分するスコア毎に求められた選択度数を登録した嗜好因子データベースを参照して、ドキュメントのデザインの印象をそれぞれ表す複数の印象情報について、嗜好因子スケール上での各印象情報の印象を示す基準点と前記嗜好評価点との補正された距離を算出する補正距離算出手段と、前記補正距離算出手段によって算出された補正された距離に基づいて、嗜好因子スケール上での各印象情報の印象を示す基準点と前記嗜好評価点とのマッチング処理を行い、実際のドキュメントのデザインからユーザが受ける印象に合った印象情報をユーザ印象情報として設定するユーザ印象情報決定手段と、として機能させることを特徴とするデザイン制作支援プログラムにより実現することができる。
【００２１】
統計的手法により印象の傾向を示す嗜好因子スケールを設定し、その嗜好因子スケールを分割する各スコアについてのユーザの選択度数に基づいて、嗜好因子スケール上の点間の距離を補正する。この補正手法を用いて、実際のドキュメントからユーザが受けた印象を示す嗜好評価点（嗜好評価パターン）と、印象を端的に表す印象情報の基準点（基準パターン）と、マッチングを行い、マッチング結果に基づいて実際のドキュメントからユーザが受けるユーザ印象情報を決定することかできる。
【００２２】
より具体的には、前記補正距離算出手段は、嗜好因子スケール上での各印象情報の印象を示す基準点とスコアとの距離に、当該スコアに対する選択度数を乗算し、当該嗜好因子スケールのスコアに対する総選択度数を除算して算出される第１の距離と、当該嗜好因子スケール上での前記嗜好評価点とスコアとの距離に、当該スコアに対する選択度数を乗算し、当該嗜好因子スケールのスコアに対する総選択度数を除算して算出される第２の距離と、の差を当該嗜好因子スケール上での各印象情報の印象を示す基準点と前記嗜好評価点との補正された距離として算出してもよい。
【００２３】
また、基準となる嗜好因子スケールは１つであることに限定されない。前記情報選択手段は、異なる印象の傾向を示す複数の嗜好因子スケールのそれぞれに印象の傾向に合わせて割り付けられた選択肢群から実際のドキュメントのデザインからユーザが受ける印象に合った選択肢を少なくとも１つずつユーザに選択させて取得し、前記嗜好評価点設定手段は、前記複数の嗜好因子スケールのそれぞれについて少なくとも１つ選択された選択肢に応じて、前記複数の嗜好因子スケール上における実際のドキュメントのデザインからユーザが受ける印象を示す嗜好評価点の組み合わせからなる嗜好評価パターンを定め、前記補正距離算出手段は、前記複数の嗜好因子スケールを区分するスコア毎に求められた選択度数を登録した嗜好因子データベースを参照して、ドキュメントのデザインの印象をそれぞれ表す複数の印象情報について、前記複数の嗜好因子スケール上での各印象情報の印象を示す基準パターンを構成する基準点と前記嗜好評価パターンの嗜好評価点との補正された距離を算出し、前記ユーザ印象情報決定手段は、前記補正距離算出手段によって算出された補正された距離に基づいて、前記嗜好因子スケール上での各印象情報の印象を示す基準パターンと、前記嗜好評価パターンと、のマッチング処理を行い、実際のドキュメントのデザインからユーザが受ける印象に合った印象情報をユーザ印象情報として設定してもよい。
【００２４】
また、前記選択肢群は、形容詞群、カラーパッチ群、カラーパレット群及び具象化された画像群のうちの少なくとも１種としてもよい。これらの選択肢群を用いることによって、ユーザは、本来抽象的であるデザインの印象をより具象化された選択肢の印象に当てはめて、実際のドキュメントのデザインからユーザが受ける印象をより抽象化された印象表現によって評価することができる。
【００２５】
また、出力画面の領域を複数の分割画面領域に分割し、前記分割画面領域毎に印象情報を割り当て、前記ユーザ印象情報決定手段で決定されたユーザ印象情報が割り当てられた前記分割画面領域に前記ユーザ印象情報決定手段で決定されたユーザ印象情報を表示する出力手段を備えてもよい。
【００２６】
このように、決定された目標印象情報を、所定の印象の傾向を示す嗜好因子スケールで構成される印象マップに割り付けて呈示することによって、実際のドキュメントのデザインからユーザが受ける印象を直感的かつ視覚的に把握することができる。
【００２７】
これらのデザイン制作支援装置を組み合わせることによって目標印象情報とユーザ印象情報との相違を容易に把握できるようにユーザに呈示するシステムを構成することもできる。すなわち、印象の傾向を示す少なくとも１つの嗜好因子スケールに印象の傾向に合わせて割り付けられた選択肢群から、ドキュメントのデザイン制作の目標とする印象に合った選択肢をユーザに選択させて取得する第１の情報選択手段と、前記第１の情報選択手段において取得された選択肢に応じて、嗜好因子スケール上でのドキュメントのデザイン制作の目標とする印象を示す第１の嗜好評価点を定める第１の嗜好評価点設定手段と、嗜好因子スケールを区分するスコア毎に求められた選択度数を登録した嗜好因子データベースを参照して、ドキュメントのデザインの印象をそれぞれ表す複数の印象情報について、嗜好因子スケール上での各印象情報の印象を示す基準点と前記第１の嗜好評価点との補正された距離を算出する第１の補正距離算出手段と、前記第１の補正距離算出手段によって算出された補正された距離に基づいて、嗜好因子スケール上での各印象情報の印象を示す基準点と前記第１の嗜好評価点とのマッチング処理を行い、ドキュメントのデザイン制作の目標とする印象に合った印象情報を目標印象情報として設定する目標印象情報決定手段と、前記選択肢群から、実際のドキュメントのデザインからユーザが受ける印象に合った選択肢をユーザに選択させて取得する第２の情報選択手段と、前記第２の情報選択手段において取得された選択肢に応じて、嗜好因子スケール上での実際のドキュメントのデザインからユーザが受ける印象を示す第２の嗜好評価点を定める第２の嗜好評価点設定手段と、前記嗜好因子データベースを参照して、複数の印象情報について、嗜好因子スケール上での各印象情報の印象を示す基準点と前記第２の嗜好評価点との補正された距離を算出する第２の補正距離算出手段と、前記第２の補正距離算出手段によって算出された補正された距離に基づいて、嗜好因子スケール上での各印象情報の印象を示す基準点と前記第２の嗜好評価点とのマッチング処理を行い、実際のドキュメントのデザインからユーザが受ける印象に合った印象情報をユーザ印象情報として設定するユーザ印象情報決定手段と、前記目標印象情報決定手段で設定された目標印象情報と前記ユーザ印象情報決定手段で設定されたユーザ印象情報との相違を示す評価値を算出する評価値算出手段と、を備えることを特徴とするデザイン制作支援装置である。
【００２８】
このようなシステムは、コンピュータを、印象の傾向を示す少なくとも１つの嗜好因子スケールに印象の傾向に合わせて割り付けられた選択肢群から、ドキュメントのデザイン制作の目標とする印象に合った選択肢をユーザに選択させて取得する第１の情報選択手段と、前記第１の情報選択手段において取得された選択肢に応じて、嗜好因子スケール上でのドキュメントのデザイン制作の目標とする印象を示す第１の嗜好評価点を定める第１の嗜好評価点設定手段と、嗜好因子スケールを区分するスコア毎に求められた選択度数を登録した嗜好因子データベースを参照して、ドキュメントのデザインの印象をそれぞれ表す複数の印象情報について、嗜好因子スケール上での各印象情報の印象を示す基準点と前記第１の嗜好評価点との補正された距離を算出する第１の補正距離算出手段と、前記第１の補正距離算出手段によって算出された補正された距離に基づいて、嗜好因子スケール上での各印象情報の印象を示す基準点と前記第１の嗜好評価点とのマッチング処理を行い、ドキュメントのデザイン制作の目標とする印象に合った印象情報を目標印象情報として設定する目標印象情報決定手段と、前記選択肢群から、実際のドキュメントのデザインからユーザが受ける印象に合った選択肢をユーザに選択させて取得する第２の情報選択手段と、前記第２の情報選択手段において取得された選択肢に応じて、嗜好因子スケール上での実際のドキュメントのデザインからユーザが受ける印象を示す第２の嗜好評価点を定める第２の嗜好評価点設定手段と、前記嗜好因子データベースを参照して、複数の印象情報について、嗜好因子スケール上での各印象情報の印象を示す基準点と前記第２の嗜好評価点との補正された距離を算出する第２の補正距離算出手段と、前記第２の補正距離算出手段によって算出された補正された距離に基づいて、嗜好因子スケール上での各印象情報の印象を示す基準点と前記第２の嗜好評価点とのマッチング処理を行い、実際のドキュメントのデザインからユーザが受ける印象に合った印象情報をユーザ印象情報として設定するユーザ印象情報決定手段と、前記目標印象情報決定手段で設定された目標印象情報と前記ユーザ印象情報決定手段で設定されたユーザ印象情報との相違を示す評価値を算出する評価値算出手段と、として機能させることを特徴とするデザイン制作支援プログラムにより実現することができる。
【００２９】
ここで、前記評価値算出手段は、嗜好因子スケール上での前記第１の嗜好評価点と前記第２の嗜好評価点との距離に応じて、前記評価値を算出してもよい。また、基準となる嗜好因子スケールは１つであることに限定されない。前記評価値算出手段は、複数の嗜好因子スケール上での前記第１の嗜好評価点の組み合わせからなる第１の嗜好評価パターンと前記第２の嗜好評価点の組み合わせからなる第２の嗜好評価パターンとのマッチング処理によって前記評価値を算出してもよい。
【００３０】
このように、目標印象情報とユーザ印象情報との相違を示す評価値を算出してユーザに呈示することによって、ユーザに対して目標とすべきデザインの印象と実際のデザインの印象との差異を客観的に把握させることができる。
【発明の効果】
【００３１】
本発明によれば、デザイン制作の目標となる目標印象情報や実際のデザインから受けた印象を示すユーザ印象情報をより高い精度で評価することができる。
【発明を実施するための最良の形態】
【００３２】
１．装置構成
本発明の実施の形態におけるデザイン制作支援装置は、図１のように、マネジメントサーバ１００、クライアントコンピュータ１０２ａ，１０２ｂ・・・及びネットワーク１０４から構成される。マネジメントサーバ１００及びクライアントコンピュータ１０２ａ，１０２ｂ・・・は、ネットワーク１０４を介して、情報伝達可能に接続される。
【００３３】
マネジメントサーバ１００は、図２のように、制御部１０、記憶部１２、入力部１４、出力部１６及びネットワークインターフェース部１８から基本的に構成される。
【００３４】
制御部１０は、記憶部１２に保存された嗜好因子スケール設定プログラム及びデザイン制作支援プログラムを読み出して実行する。また、処理に必要なデータを入力部１４、ネットワーク１０４から取り込み、記憶部１２に格納する。また、処理に必要な場合には、記憶部１２に保持されたデータを読み出して処理に供する。さらに、処理結果を再び記憶部１２に格納し、必要に応じて出力部１６又はネットワーク１０４に出力する。
【００３５】
記憶部１２は、嗜好因子スケール設定プログラム及びデザイン制作支援プログラム並びに入力部１４やネットワークから取り込まれるキーワード等の各種データを格納及び保持する。また、処理に必要とされる印象表現データベース、印象評価データベース、目標印象情報データベース、嗜好情報データベース、デザイン評価データベース、デザインデータベース、ユーザ印象情報データベース、ユーザ嗜好情報データベース、印象マップ表示用データベース、嗜好因子データベース等のデータベースを格納及び保持する。各々のデータベースの内容及び使用方法については後述する。記憶部１２としては、主として半導体メモリが用いられるが、例えば、ハードディスク、光ディスク、光磁気ディスク、磁気テープなどの記憶装置を用いることもできる。
【００３６】
入力部１４は、使用者が処理に必要なデータを入力する際に用いられる。入力部１４としては、例えば、キーボード等の文字入力装置やマウス、ライトペン等のポインティングデバイスを用いることができる。また、紙などの記録媒体に作成された既存のプレゼンテーション資料等を電子データとして読み込む場合には、スキャナ等のドキュメント読取装置、音声等を入力する場合にはデジタル信号への変換が可能な音声入力装置を用いることができる。
【００３７】
出力部１６は、処理に必要なデータの入力を促す入力画面、制御部１０での処理結果を示す出力画面等を表示する。出力部１６としては、例えば、ディスプレイ、プリンタ等のドキュメント出力装置を用いることができる。
【００３８】
ネットワークインターフェース部１８は、マネジメントサーバ１００をネットワーク１０４と情報伝達可能に接続するために用いられる。
【００３９】
また、クライアントコンピュータ１０２ａ，１０２ｂ・・・もマネジメントサーバ１００と同様にコンピュータの基本構成を有する。クライアントコンピュータ１０２ａ，１０２ｂ・・・においても、ネットワーク１０４を介することによって、マネジメントサーバ１００に対して処理に必要な情報を送信したり、マネジメントサーバ１００における処理結果を受信したりすることができる。また、以下に示す嗜好因子スケール設定方法及びデザイン制作支援方法の処理の一部をクライアントコンピュータ１０２で実行させてもよい。
【００４０】
２．嗜好因子スケール設定方法
本実施の形態におけるデザイン評価は、図３のフローチャートに沿って実行される。まず、図３のステップＳ５０における嗜好因子スケールの設定方法について以下に詳細に説明する。
【００４１】
嗜好因子スケールとは、ドキュメントのデザインの印象を評価する際に使用されるスケールである。例えば、図４〜図６に示すような印象マップのＸ軸及びＹ軸が嗜好因子スケールに相当する。図４の印象マップの例では、“庶民的”から“洗練”までのデザインの印象の傾向を示すＩ座標軸と、“男性的”から“女性的”までのデザインの印象の傾向を
示すＩＩ座標軸と、の２つの嗜好因子スケールが直交座標として設けられている。ドキュメントのデザインの印象を評価する際には、デザインの印象は印象マップ上の座標で表されることになり、その座標のＩ座標軸上の位置によりそのデザインが“庶民的”から“洗練”の傾向のどの辺りの印象であるのか、その座標のＩＩ座標軸上の位置によりそのデザインが“男性的”から“女性的”の傾向のどの辺りの印象であるのかを示すことができる。
【００４２】
同様に、図５の印象マップの例では、“激しい”から“明るい”までのデザインの印象の傾向を示すＩＩＩ座標軸と、“静的”から“遊び”までのデザインの印象の傾向を示すＩＶ座標軸と、の２つの嗜好因子スケールが直交座標として設けられている。ドキュメントのデザインの印象を評価する際には、デザインの印象は印象マップ上の座標で表されることになり、その座標のＩＩＩ座標軸上の位置によりそのデザインが“激しい”から“明るい”の傾向のどの辺りの印象であるのか、その座標のＩＶ座標軸上の位置によりそのデザインが“静的”から“遊び”の傾向のどの辺りの印象であるのかを示すことができる。また、図６の印象マップの例では、“本格”から“かわいい”までのデザインの印象の傾向を示すＶ座標軸と、“シンプル”から“装飾”までのデザインの印象の傾向を示すＶＩ座標軸と、の２つの嗜好因子スケールが直交座標として設けられている。ドキュメントのデザインの印象を評価する際には、デザインの印象は印象マップ上の座標で表されることになり、その座標のＶ座標軸上の位置によりそのデザインが“本格”から“かわいい”の傾向のどの辺りの印象であるのか、その座標のＶＩ座標軸上の位置によりそのデザインが“シンプル”から“装飾”の傾向のどの辺りの印象であるのかを示すことができる。
【００４３】
このように、各嗜好因子スケールは、ドキュメントのデザインの印象を表す所定の傾向を示すスケールである。具体的なデザインの印象は、図７の例に示すように、複数の嗜好因子スケール上の位置（座標）の組み合わせからなる嗜好因子パターンＡによって表すことができる。
【００４４】
嗜好因子スケールは、デザインの印象を端的に表現する形容詞群からなる文字情報、単一の色彩からなるカラーパッチ群、複数の色彩を組み合わせたカラーパレット群、デザインの印象を具象化して表した画像群、デザインの印象を抽象的に表現する抽象画群等の選択肢群の各々ついて、平均的なユーザの母集団に、各選択肢が嗜好因子スケールの傾向に沿って嗜好因子スケールのどの辺りに位置するのかを選択させ、それらの選択結果が示す傾向を統計的に処理することによって定めることができる。
【００４５】
例えば、それぞれ単色の色を表すカラーパッチの群について、“庶民的”から“洗練”までのデザインの印象の傾向を示すＩ座標軸に沿って、各カラーパッチがＩ座標軸上のど
の辺りに位置する印象を有するかを多数のユーザに選択させる。具体的には、図８に示すように、Ｉ座標軸を「庶民的である」，「やや庶民的である」，「どちらでもない」，「やや洗練されている」，「洗練されている」の５つのスコアに分けて、各カラーパッチがどのスコアの印象を有するかを各ユーザに選択させる。また、“男性的”から“女性的”までのデザインの印象の傾向を示すＩＩ座標軸に沿って、各カラーパッチがＩＩ座標軸のどの辺りに位置する印象を有するかを多数のユーザに選択させる。具体的には、図９に示すように、ＩＩ座標軸を「男性的である」，「やや男性的である」，「どちらでもない」，「やや女性的されている」，「女性的されている」の５つのスコアに分けて、各カラーパッチがどのスコアの印象を有するかを各ユーザに選択させる。多数のユーザからなる平均的な母集団による選択結果を統計的に処理することにより、図４に示すように、各カラーパッチの平均的な印象に応じてＩ座標軸とＩＩ座標軸との直交座標系で表される印象マップ上における各カラーパッチの位置（二次元座標）が決定される。また、図１０に示すように、Ｉ座標軸とＩＩ座標軸について平均的なユーザの母集団が各スコアを選んだ度数（選択度数又は選択頻度）を嗜好因子データベースとして登録する。
【００４６】
また、同様に、それぞれ複数の色の組み合わせからなるカラーパレットの群について、“激しい”から“明るい”までのデザインの印象の傾向を示すＩＩＩ座標軸に沿って、各カラーパレットがＩＩＩ座標軸上のどの辺りに位置する印象を有するかを多数のユーザに選択させる。具体的には、ＩＩＩ座標軸を「激しい」，「やや激しい」，「どちらでもない」，「やや明るい」，「明るい」の５つのスコアに分けて、各カラーパレットがどのスコアの印象を有するかを各ユーザに選択させる。また、“静的”から“遊び”までのデザインの印象の傾向を示すＩＶ座標軸に沿って、各カラーパレットがＩＶ座標軸のどの辺りに位置する印象を有するかを多数のユーザに選択させる。具体的には、ＩＶ座標軸を「静的である」，「やや静的である」，「どちらでもない」，「やや遊びがある」，「遊びがある」の５つのスコアに分けて、各カラーパレットがどのスコアの印象を有するかを各ユーザに選択させる。多数のユーザからなる平均的な母集団による選択結果を統計的に処理することにより、図５に示すように、各カラーパレットの平均的な印象に応じてＩＩＩ座標軸とＩＶ座標軸との直交座標系で表される印象マップ上における各カラーパレットの位置（二次元座標）が決定される。また、図１０に示すように、ＩＩＩ座標軸とＩＶ座標軸の各スコアについての選択度数（選択頻度）を嗜好因子データベースとして登録する。
【００４７】
また、同様に、それぞれ異なる形状、色彩、模様の組み合わせからなるコーヒーカップの絵の群について、“本格”から“かわいい”までのデザインの印象の傾向を示すＶ座標軸に沿って、各コーヒーカップの絵がＶ座標軸上のどの辺りに位置する印象を有するかを多数のユーザに選択させる。具体的には、Ｖ座標軸を「本格的」，「やや本格的」，「どちらでもない」，「ややかわいい」，「かわいい」の５つのスコアに分けて、各コーヒーカップの絵がどのスコアの印象を有するかを各ユーザに選択させる。また、“シンプル”から“装飾”までのデザインの印象の傾向を示すＶＩ座標軸に沿って、各コーヒーカップの絵がＶＩ座標軸のどの辺りに位置する印象を有するかを多数のユーザに選択させる。具体的には、ＶＩ座標軸を「シンプルである」，「ややシンプルである」，「どちらでもない」，「やや装飾的である」，「装飾的である」の５つのスコアに分けて、各コーヒーカップの絵がどのスコアの印象を有するかを各ユーザに選択させる。多数のユーザからなる平均的な母集団による選択結果を統計的に処理することにより、図６に示すように、各コーヒーカップの絵の平均的な印象に応じてＶ座標軸とＶＩ座標軸との直交座標系で表される印象マップ上における各コーヒーカップの絵の位置（二次元座標）が決定される。また、図１０に示すように、Ｖ座標軸とＶＩ座標軸の各スコアについての選択度数（選択頻度）を嗜好因子データベースとして登録する。
【００４８】
なお、印象マップへの情報の割り当て方法はこれに限られるものではなく、対象とするデザインの種類に応じて座標軸の設定を変更することが好ましい。例えば、“ベタ”から“上品”、“色的訴求”から“質的訴求”、“楽しさ”から“高級”、“親近感”から“センス感”、“ダンディ”から“フェミニン”、“濁色”から“清色”、“ハード”から“ソフト”、“重厚”から“繊細”、“堅実”から“メルヘン”、“現実的”から“ファンタジック”、“上質”から“チープ”等の印象の傾向の移り変わりを表す座標軸（嗜好因子スケール）を設定してもよい。
【００４９】
また、本実施の形態では、各嗜好因子スケールを５つのスコアに分割するものとしたが、これに限定されるものではなく、より少ない分割数又はより多い分割数としてもよい。また、各嗜好因子スケールの分割数を互いに異なるものとしてもよい。
【００５０】
また、本実施の形態では、各印象マップは、２つの嗜好因子スケールの直交座標系で表される二次元座標系であるものとして説明したが、１つの嗜好因子スケールで表す一次元座標系であってもよいし、より多数の嗜好因子スケールで表す三次元以上の座標系であってもよい。
【００５１】
さらに、印象マップ上への選択肢の割り付け、及び、各嗜好因子スケールにおける各スコアの選択度数の設定は上記処理に限定されるものではない。嗜好因子スケールの組み合わせ、嗜好因子スケールと選択肢群との組み合わせも上記例に限定されるものではない。また、平均的なユーザの母集団を形成する被験者軍により嗜好評価選択肢による評価結果に基づいて、所定の数量化統計的分析法により決定することもできる。
【００５２】
このように、それぞれ独立した嗜好因子スケールで表される印象マップ、及び、各嗜好因子スケールのスコア毎の選択度数（選択頻度）が統計的に設定されると、図３のステップＳ０へ処理が移行される。
【００５３】
３．デザイン制作支援方法
本実施の形態におけるデザイン制作支援方法を、図を参照して、以下に詳細に説明する。なお、本願請求項に係る発明における各手段は、以下のデザイン制作支援方法の各工程をコンピュータで処理させることによって実現される。
【００５４】
ここで、デザインの制作を行う者（デザイン制作者）、デザイン制作者に対してデザインの制作を依頼する者（依頼主）及び制作されたデザインの受け手となる者（需用者等）のいずれもシステムを利用する操作者となれる。デザイン制作者、依頼主及び需用者が同一者となる場合もある。また、デザイン評価を行う者は単独でも良いし、複数人であってもよい。
【００５５】
クライアントコンピュータ１０２ａ，１０２ｂ・・・は、ネットワーク１０４を介して、それぞれマネジメントサーバ１００と接続されて通信を行い、いずれもデザイン制作者の端末としても、依頼主の端末としても、需用者の端末としても機能することができる。以下の説明においては便宜上、操作者はマネジメントサーバ１００を用いて処理を行うものとする。
【００５６】
デザイン制作支援方法は、図３のように、ステップＳ５０の嗜好因子スケールの設定処理に続く、ステップＳ１０の目標印象決定工程、ステップＳ２０のデザイン印象評価工程、ステップＳ３０のユーザ印象取得工程及びステップＳ４０の印象提示工程を含んでなる。
【００５７】
これらの各工程は、コンピュータで処理可能なデザイン制作支援プログラムをマネジメントサーバ１００の記憶部１２に格納及び保持し、マネジメントサーバ１００によってそのプログラムを実行することによって実現される。
【００５８】
プログラムの処理が開始されると、ステップＳ０において、図１１のように、制御部１０はメインメニュー画面１０００を出力部１６に表示させ、操作者に対して所望の処理を選択するように促す。ここで、メインメニュー画面１０００においては、マウスポインタ５が表示され、所望の処理を示す画面位置をクリックすることによって、各処理の実行が開始される。
【００５９】
また、メインメニュー画面１０００には、制作の対象となっているデザインの識別番号を入力するボックス１５が設けられており、以下の処理において対象となるデータベース等はこのボックス１５に入力された番号で識別されることとなる。
【００６０】
例えば、ボックス１５に識別番号として“９”を入力し、目標印象決定ボタン２０が表示されている位置にマウスポインタ５を移動させ、マウスをクリックすることによって、デザインの識別番号は９となり、ステップＳ１０の目標印象決定工程に処理が移行する。同様に、ステップＳ２０のデザイン印象評価工程、ステップＳ３０のユーザ印象取得工程、ステップＳ４０の印象提示工程に処理を移行させる場合もそれぞれデザイン印象評価ボタン２２、ユーザ印象取得ボタン２４、印象提示ボタン２６が表示されている位置にマウスポインタ５を移動させてマウスをクリックすることによって処理を移行させることができる。
【００６１】
３−１．目標印象決定工程
ステップＳ１０の目標印象決定工程では、制作対象となるデザインに必要とされる印象に関する情報（以下、目標印象情報という）が定められる。目標印象決定工程は、図１２に示すフローチャートによって処理される。
【００６２】
本実施の形態では、複数の異なる印象マップ（評価空間）に分布する複数種の選択肢群から目標とする印象に合った情報をユーザに選択させ、その選択された情報からデザイン制作の目標とする印象を表す目標印象情報を得る。
【００６３】
評価空間は、例えば図４〜図６に示すように、印象を表す印象マップとして具現化される。各印象マップには、印象マップを構成する嗜好因子スケールを設定する際に用いられた選択肢群が割り付けられている。これらの選択肢群は、印象マップに対応付けられて印象表現データベースとして予め記憶部１２に保存されている。
【００６４】
ステップＳ１０ａでは、制御部１０は、目標印象入力画面１００２ａ〜１００２ｃを出力部１６に表示させる。目標印象入力画面１００２ａ〜１００２ｃは、図１３〜図１５に示すように、デザインの印象を表現する複数の情報（選択肢）を提示して、依頼主からデザイン制作の目標となる印象にあった情報（選択肢）を選択させるものである。
【００６５】
ステップＳ１０ｂでは、ユーザは入力部１４を用いて、デザインに要求される印象に沿った情報を選択する。制御部１０は、出力部１６に表示された上記の複数の目標印象入力画像１００２ａ〜１００２ｃを用いて複数種の選択肢群からそれぞれ少なくとも１つの情報（選択肢）をユーザに選択させる。ユーザは、入力部１４としてマウスを用いて、図１３〜図１５に示した目標印象入力画面１００２ａ〜１００２ｃにおいて、それぞれ制作されようとしているドキュメントのデザインに要求される印象にあうカラーパッチ、カラーパレット及びコーヒーカップの絵にマウスポインタ５を合わせてクリックすることによって選択する。ドキュメントのデザインに要求される印象にあう選択肢を選択した後、ユーザはデータ登録ボタン２５にマウスポインタ５を合わせてクリックする。これにより、制御部１０は、選択されたカラーパッチ、カラーパレット及びコーヒーカップの絵の情報を選択された選択肢として取得する。選択された選択肢は記憶部１２に保存される。
【００６６】
なお、印象を表現する情報の選択方法は、これに限られるものではなく、ユーザの入力が容易に行える方法であれば他の方法を用いても良い。
【００６７】
次に、ステップＳ１０ｃでは、ステップＳ１０ｂにおいて各印象マップに対応させて選択された選択肢（カラーパッチ、カラーパレット、コーヒーカップの絵）に基づいて嗜好情報データベースが登録される。嗜好情報データベースは、図４〜図６に示した印象マップで表される各評価空間において選択された選択肢の配置位置の組み合わせに応じて登録される。
【００６８】
まず、ステップＳ１０ｂで選択された情報に基づいて嗜好評価パターンが求められる。例えば、図１６に示すように、図１３に示す目標印象入力画面１００２ａにおいてカラーパッチ（図中の第２３番目のカラーパッチ）が選択された場合、そのカラーパッチが割り付けられた印象マップ上のＩ軸上の座標とＩＩ軸上の座標とをプロットする。同様に、図１４に示す目標印象入力画面１００２ｂにおいてカラーパレットが選択された場合、選択されたカラーパレットが割り付けられたＩＩＩ軸上の座標とＩＶ軸上の座標とをプロットする。さらに、図９に示す目標印象入力画面１００２ｃにおいてコーヒーカップが選択された場合、選択されたコーヒーカップの絵が割り付けられたＶ軸上の座標とＶＩ軸上の座標とをプロットする。このようにして得られた嗜好評価パターンは、記憶部１２に嗜好情報データベースとして登録される。
【００６９】
このとき、１つの印象マップに対して複数の選択肢が選択されている場合には、それぞれの座標軸（評価軸）上における複数の選択肢の平均位置を示す座標をプロットする。このようにプロットされた嗜好評価パターンａは、各印象マップで表される評価空間において選択された選択肢の配置位置の組み合わせを表す。
【００７０】
ステップＳ１０ｄでは、嗜好評価パターンに基づいて目標印象情報が決定される。ステップＳ１０ｄは、図１７に示すサブルーチンに沿って処理される。
【００７１】
ステップＳ１０ｄ−１では、まず、嗜好評価パターンにおける各軸における各点について、その点と隣接するスコアとの距離が算出される。
【００７２】
例えば、図１８に示すように、各軸の各スコア間の距離を１とした場合、図１６の嗜好評価パターンａに含まれるＩ軸上の点ａ１（スコア２とスコア３とのちょうど中点に位置する）とそのＩ軸における隣接するスコア２との距離Ｌａ２は−０．５、Ｉ軸上の点ａ１とＩ軸の隣接するスコア３との距離Ｌａ３は０．５となる。
【００７３】
ステップＳ１０ｄ−２では、嗜好因子データベースに登録されている各軸の各スコアの選択度数に基づいて、嗜好評価パターンにおける各点について、各座標軸における各スコアとの補正後の距離が算出される。補正後の距離は、補正前の距離にスコアの選択度数Ｎｎを乗算し、その値を対応する軸における総てのスコアの選択度数の総和値Ｎｔｏｔａｌで除算することによって算出される。
【００７４】
Ｉ軸上の点ａ１とＩ軸上のスコア２との補正前の距離は−０．５であるが、図１０の嗜好因子データベースにおけるＩ軸のスコア２の選択度数Ｎ１が５０、Ｉ軸の総てのスコア１〜５の選択度数の合計値Ｎｔｏｔａｌが２２０であるので、Ｉ軸上の点ａ１とＩ軸上のスコア２との補正後の距離Ｌｂ２はＬｂ２＝−０．５×５０／２２０＝約−０．１１４となる。同様に、Ｉ軸上の点ａ１とＩ軸上のスコア３との補正後の距離Ｌｂ３はＬｂ３＝０．５×１００／２２０＝約０．２２７となる。
【００７５】
次に、Ｉ軸上のスコア２とＩ軸上のスコア１との補正前の距離は−１．０であるが、図１０の嗜好因子データベースにおけるＩ軸のスコア１の選択度数Ｎ１が１０、Ｉ軸の総てのスコア１〜５の選択度数の合計値Ｎｔｏｔａｌが２２０であるので、Ｉ軸上のスコア２との補正後の距離は−１．０×１０／２２０＝約−０．０４５となる。したがって、Ｉ軸上の点ａ１とＩ軸上のスコア１との補正後の距離Ｌｂ１は、Ｉ軸上の点ａ１とＩ軸上のスコア２との補正後の距離Ｌｂ２とＩ軸上のスコア２とＩ軸上のスコア１との補正後の距離とを加算して、Ｌｂ１＝−０．１１４−０．０４５＝約−０．１５９となる。
【００７６】
同様に、Ｉ軸上の点ａ１とＩ軸上のスコア４との補正後の距離Ｌｂ４は、Ｉ軸上の点ａ１とＩ軸上のスコア３との補正後の距離Ｌｂ３とＩ軸上のスコア３とＩ軸上のスコア４との補正後の距離とを加算して、Ｌｂ４＝０．２２７＋１．０×５０／２２０＝約０．４５４となる。さらに、Ｉ軸上の点ａ１とＩ軸上のスコア５との補正後の距離Ｌｂ５は、Ｉ軸上の点ａ１とＩ軸上のスコア３との補正後の距離Ｌｂ３とＩ軸上のスコア３とＩ軸上のスコア４との補正後の距離とＩ軸上のスコア４とＩ軸上のスコア５との補正後の距離とを加算して、Ｌｂ５＝０．２２７＋１．０×５０／２２０＋１．０×１０／２２０＝約０．５となる。
【００７７】
同様に、嗜好評価パターンのＩ軸以外の嗜好評価スケールにおける点についても各軸のスコアとの補正後の距離を求めることかできる。
【００７８】
ステップＳ１０ｄ−３では、嗜好評価パターンと印象情報毎に定められた基準パターンとのマッチングに基づいて目標印象情報が決定される。
【００７９】
記憶部１２には、図１９に示すように、印象評価データベースが登録されている。印象評価データベースには、デザインの印象を示す印象情報が登録されている。各印象情報は、ドキュメントのデザインの印象を端的に表す情報であり、一般的には、上記の選択肢群よりも抽象化された広い範囲の印象を示す情報とされる。
【００８０】
本実施の形態では、図２０に示すような基準印象マップの全体を所定数に区画し、各区画をドキュメントの印象を示す領域として割り当て、各区画を網羅する概念を印象情報としている。この印象マップにも、座標軸（評価軸）を設けて、その座標軸に沿って印象が所定の傾向で変化していくように印象情報を割り当てる。図２０の基準印象マップでは、“暖かい”から“冷たい”までのデザインの暖かさを示すＸ座標と、“柔らかい”から“硬い”までのデザインの硬さを示すＹ座標と、の直交する２つの座標軸を設け、それぞれの印象の変化に沿って印象情報が割り当てられている。
【００８１】
印象情報毎に、各々の印象情報が示す印象に合ったプロットの基準パターンが予め定められる。基準パターンは、多数の被験者に対するアンケート等の嗜好調査によって設定することができる。すなわち、被験者の嗜好調査で得られたデータ等を統計処理して因子分析した結果に基づいて、基準印象マップ上の各領域に割り当てられた印象情報と、基準印象マップとは異なる評価軸を有する印象マップに割り当てられた選択肢と、の相関関係に基づいて各印象情報に対する基準パターンを設定する。
【００８２】
例えば、印象情報「ナチュラル」に対する基準パターンは図１６のパターンｂに示すようなものとなり、印象情報「カジュアル」に対する基準パターンは図１６のパターンｃに示すようなものとなる。他の印象情報についても同様に基準パターンが設定される。
【００８３】
各印象情報の基準パターンを構成する各点についても、嗜好評価パターンと同様に、嗜好因子スケールの各軸の各スコアに対する距離を算出することができる。すなわち、ステップＳ１０ｄ−１と同様に、まず、嗜好因子スケールの各軸における印象情報の基準パターンを構成する各点について、その点と隣接するスコアとの距離が算出される。次に、ステップＳ１０ｄ−２と同様に、嗜好因子データベースに登録されている各軸の各スコアの選択度数に基づいて、印象情報の基準パターンの各点について、各座標軸における各スコアとの補正後の距離が算出される。補正後の距離は、補正前の距離にスコアの選択度数Ｎｎを乗算し、その値を対応する軸における総てのスコアの選択度数の総和値Ｎｔｏｔａｌで除算することによって算出する。
【００８４】
嗜好評価パターンと印象情報毎に定められた基準パターンとのマッチング処理には、既存の方法を適用することができる。例えば、図１９に示す印象評価データベースに登録されている印象情報群の中から、各嗜好因子スケールにおける嗜好評価パターンを構成する点と印象情報の基準パターンを構成する点との補正された距離の自乗和が最も小さい印象情報を抽出する。この抽出された印象情報は、ユーザがデザインの制作の目標とすべき印象に合わせて選択した選択肢から得られた嗜好評価パターンに最も合った印象情報であり、これがデザイン制作の目標とすべき目標印象情報となる。
【００８５】
例えば、図２１に示すように、印象情報「カジュアル」の基準パターンを構成するＩ軸上の点Ｘ１とＩ軸上のスコア２との補正後の距離Ｌｃ２が−０．２であり、嗜好評価パターンを構成するＩ軸上の点ａ１とにＩ軸上のスコア２との補正後の距離Ｌｂ２が０．３であった場合、距離Ｌｂ２から距離Ｌｃ２を減算した値Ｌｂ２−Ｌｃ２＝０．３−（−０．２）＝０．５が点ａ１と点Ｘ１とのＩ軸上の補正後の距離Ｌｘ１となる。同様に、印象情報「カジュアル」の基準パターンを構成するＩＩ軸上の点Ｘ２と嗜好評価パターンのＩＩ軸上の点ａ２との補正後の距離Ｌｘ２、基準パターンを構成するＩＩＩ軸上の点Ｘ３と嗜好評価パターンのＩＩＩ軸上の点ａ３との補正後の距離Ｌｘ３、基準パターンを構成するＩＶ軸上の点Ｘ４と嗜好評価パターンのＩＶ軸上の点ａ４との補正後の距離Ｌｘ４、基準パターンを構成するＶ軸上の点Ｘ５と嗜好評価パターンのＶ軸上の点ａ５との補正後の距離Ｌｘ５、基準パターンを構成するＶＩ軸上の点Ｘ６と嗜好評価パターンのＶＩ軸上の点ａ６との補正後の距離Ｌｘ６を算出する。さら、印象情報「カジュアル」に対して補正後の距離Ｌｘ１〜Ｌｘ６の自乗和Ｌｘ１2＋Ｌｘ２2＋Ｌｘ３2＋Ｌｘ４2＋Ｌｘ５2＋Ｌｘ６2を算出する。
【００８６】
同様に、他の印象情報に対しても基準パターンと嗜好評価パターンとの各軸に対する補正後の距離の自乗和を算出する。そして、最も自乗和が小さい印象情報を目標印象情報として設定する。設定された目標印象情報はデザイン識別番号に関連付けて目標印象情報データベースとして記憶部１２に保持される。
【００８７】
なお、印象情報毎に設定される基準パターンは、年齢（年代）、性別等のユーザの特性に応じてさらに細かく設定されることも好適である。例えば、アンケート等に基づいて印象情報毎に基準パターンを設定する際に、被験者の年齢層や性別毎にアンケート結果を分類して基準パターンを設定する。一方、図１３から図１５に示すように、ユーザの年代の入力部２１やユーザの性別の入力部２３を設けてデザインの対象となる閲覧者の特性を取得し、その特性に応じた基準パターンとのマッチング処理を行う。これによって、特定の年齢や性別のユーザの嗜好を適切に評価した印象の評価値を求めることができる。
【００８８】
また、本実施の形態では、カラーパッチ群、カラーパレット群、コーヒーカップの絵群（具象化された画像群）の組み合わせによって嗜好情報データベースを登録したが、これに限定されるものではない。ドキュメントのデザインの印象を表す選択肢群であればよい。
【００８９】
ステップＳ１０ｄ−３が終了すると、メインルーチンに処理が戻される。メインルーチンでは、ステップＳ０へ処理を戻す。
【００９０】
３−２．デザイン印象評価工程
ステップＳ０において、デザイン印象評価ボタン２２がクリックされると、ステップＳ２０のデザイン印象評価工程に処理が移行される。
【００９１】
ステップＳ２０のデザイン印象評価工程においては、ドキュメントのデザインの印象に関する情報（以下、デザイン印象情報という）が抽出される。デザイン印象評価工程は、図２２のフローチャートに沿って処理される。
【００９２】
まず、ステップＳ２０ａにおいて、実際のドキュメントデータを取り込み、記憶部１２に格納及び保持する。制御部１０は、図２３のように、デザイン取込画面１００４を出力部１６に表示して、デザイン制作者に対して評価対象となるデザインに関するドキュメントの入力を促す。
【００９３】
例えば、デザイン制作者はウェブページをデザインし、それを予めネットワーク１０４上にアップロードしておく。次に、デザイン取込画面１００４のＵＲＬ入力ボックス３０にそのウェブページのＵＲＬを入力し、デザイン取込画面１００４上に表示されたマウスポインタ５をウェブデザイン取込ボタン３２に移動させて、マウスをクリックすることによって、デザイン印象評価の対象となるウェブページの取得先を指定する。制御部１０は指定を受けると、ネットワーク１０４を介して、指定されたＵＲＬからウェブページのドキュメントデータを取り込む。取り込まれたドキュメントデータは、図２４のように、ドキュメントデータの識別情報（例えばＵＲＬ）と関連付けられてデザインデータベースとして記憶部１２に順次蓄積される。
【００９４】
なお、デザインの識別番号に対して、未だデザインデータベースが生成されていない場合には、デザインの識別番号に関連付けて新たなデザインデータベースを生成する。一方、既にデザインの識別番号に対するデザインデータベースが存在している場合には、既存のデザインデータベースに対してドキュメントデータの識別情報及びドキュメントデータが付加的に蓄積される。
【００９５】
また、制作したウェブページのみならず、例えば、競合他社のウェブページのＵＲＬを指定することによって、それらのウェブページのドキュメントデータを取り込んで評価することも可能である。
【００９６】
なお、デザイン制作の対象がプレゼンテーション資料、新商品又は企業のブランドロゴ等である場合には、スキャナ等の読取装置を用いて、ドキュメントデータを取り込むことも好適である。この場合、デザイン取込画面１００４のドキュメント取込ボタン３４をクリックすることによって、既存のドキュメント読取ツールを起動するようにすることが好ましい。
【００９７】
以下の説明では、例として図２５のウェブページのドキュメントが取り込まれたものとする。
【００９８】
ステップＳ２０ｂでは、取り込まれたドキュメントデータが人間に与える印象の評価を行う。デザインの印象評価には、特願２００２−１８７５２２号等の既存の評価手段を用いることができる。
【００９９】
すなわち、制御部１０は被評価ドキュメントの画像データを記憶部１２から読み出し、図２５のように領域分割する。領域分割には、既存の画像領域分割ツールを用いることができる。次に、面積、位置、大きさ、色平均、他の領域との色差等の物理的特徴量を分割された領域毎に抽出する。
【０１００】
ここで、各領域は、ＲＧＢ色空間からＬ*ａ*ｂ*色空間に変換した後に視覚的な特徴量を抽出することが好適である。通常、コンピュータで利用されるドキュメントデータは、不均等色空間であるＲＧＢ色空間によって表現されていることが多く、人の感覚に近い分析ができない。そこで、不均等色空間であるＲＧＢ色空間から均等色空間であるＬ*ａ*ｂ*色空間に変換することによって、より人の感性に近い印象として分析・評価することができる。また、Ｌ*ａ*ｂ*空間はドキュメントのダイナミックレンジを表現できる点からも好適である。勿論、ドキュメントデータが既にＬ*ａ*ｂ*色空間で表現されている場合には変換をする必要はない。
【０１０１】
また、物理的な特徴量とは、着目領域の面積、着目領域の幅ｗ及び高さｈ、左上の位置ｘ，ｙ、着目領域全体の色平均、Ｌ*成分の平均値、ａ*成分の平均値、ｂ*成分の平均値、ドキュメント全体の色平均と着目領域全体の色平均の色差ΔＬ*ａ*ｂ*、着目領域と近接する領域との色平均の色差ΔnＬ*ａ*ｂ*、背景と着目領域との色平均の色差ΔbＬ*ａ*ｂ*、着目領域内における色の分散、同色数などの特徴をいう。また、ドキュメントデータの背景領域、背景領域を除く最も大きな領域を持つメイン領域及びメイン領域に対してアクセントとなるアクセント領域から平均色を抽出して特徴量としてもよい。
【０１０２】
一方、物理的特徴量の組み合わせに対して印象情報を関連付けてデザイン評価データベースとして記憶部１２に格納及び保持する。例えば、図２６のように、背景領域、背景領域を除く最も大きな領域を持つメイン領域及びメイン領域に対してアクセントとなるアクセント領域の各領域の色彩（図中ではハッチングで示す）の組を生成し、それらの色彩の組から人間が受ける印象を表す印象情報を関連付けて保存しておく。
【０１０３】
このデザイン評価データベースに基づいて、実際のドキュメントデータの背景領域、メイン領域及びアクセント領域から平均色を抽出し、その平均色の組み合わせに対応する印象情報を抽出する。抽出された印象情報は、デザインの物理的な特徴からユーザに与えられる印象を示すデザイン印象情報となる。デザイン印象情報は、図２４のように、ドキュメントデータの識別番号及び評価対象となったドキュメントデータと関連付けられてデザインデータベースとして記憶部１２に格納及び保持される。
【０１０４】
例えば、図２５のドキュメントデータの背景領域、メイン領域及びアクセント領域の各領域から平均色を抽出すると、図２６のデザイン評価データベースに基づいて、「ナチュラル」というデザイン印象情報を求めることができる。
【０１０５】
なお、印象に関する情報を抽出するために用いることができる特徴量は、領域の面積、領域の幅ｗ及び高さｈ、左上の位置ｘ，ｙ、領域全体の色平均、Ｌ*成分の平均値、ａ*成分の平均値、ｂ*成分の平均値、全体の色平均と着目領域全体の色平均の色差ΔＬ*ａ*ｂ*、着目領域と近接する領域との色平均の色差ΔnＬ*ａ*ｂ*、背景と着目領域との色平均の色差ΔbＬ*ａ*ｂ*、着目領域内における色の分散、同色数を用いてもよい。
【０１０６】
また、これらの特徴量を組み合わせた条件とドキュメントの印象に関する表現情報とを関連付けた多次元の表現情報データベースを用いてもよい。このように、出来る限り多くの特徴量を組み合わせることにより、ドキュメントが人間に与える印象をより詳細なものとすることができる。特に、ドキュメント領域間の色差など、異なるドキュメント領域間の特徴量の差異を含んだ条件を用いることにより、被評価ドキュメントの中で強いコントラストを持つ箇所等から受ける印象を表す表現情報を抽出することも可能となる。
【０１０７】
また、ドキュメントデータから得られた物理的特徴量そのものをデザイン印象情報とすることも好適である。例えば、ドキュメントデータの背景領域、メイン領域及びアクセント領域の平均色の組み合わせ自体をカラーパレットとしてデザイン印象情報としても良い。
【０１０８】
また、本実施の形態では、ドキュメントである画像データを複数の領域に分割して処理を行ったが、１つのドキュメント全体から特徴量を抽出してデザイン印象情報を決定してもよい。
【０１０９】
デザイン印象が選定されると、デザイン印象評価工程を終了し、制御部１０は、ステップＳ０に制御を戻す。
【０１１０】
３−３．ユーザ印象取得工程
ステップＳ０において、ユーザ印象取得ボタン２４がクリックされると、ステップＳ３０のユーザ印象取得工程に処理が移行される。
【０１１１】
ステップＳ３０のユーザ印象取得工程では、ステップＳ２０で取り込まれたドキュメントデータについてユーザが持つ印象（以下、ユーザ印象情報という）の取得を行う。ユーザ印象取得工程は、図２７に示すフローチャートによって処理される。
【０１１２】
まず、ステップＳ３０ａにおいて、制御部１０は、ドキュメントデータ選択画面１００６を出力部１６に表示させ、ステップＳ２０で取り込まれたドキュメントデータのうち印象取得の対象となるドキュメントデータの選択を促す。
【０１１３】
ドキュメントデータ選択画面１００６は、図２８のように、記憶部１２のデザインデータベースに保持されているドキュメントデータに関する情報を画面上に列挙して表示し、いずれのドキュメントデータに対するユーザ印象情報を取得するか、を選択させるものが好適である。ただし、ドキュメントデータ選択画面１００６の態様はこれに限られるものではなく、デザインデータベースに保持されているドキュメントデータの選択が可能であれば良い。
【０１１４】
ドキュメントデータに対する印象の入力を行うユーザは、マウス等の入力部１４を用いて、ドキュメントデータ選択画面１００６のドキュメントデータ（画像データ）に関する各情報に設けられたチェックボックス４０へマウスポインタ５を移動させ、マウスをクリックすることによって情報を選ぶ。次に、選択決定ボタン４２にマウスポインタ５を移動させてマウスをクリックすることにより、ドキュメントデータの選択を決定する。
【０１１５】
ステップＳ３０ｂでは、制御部１０は、ユーザ印象入力画面１００８ａ〜１００８ｃを出力部１６に表示させ、ドキュメントデータを見たユーザが受ける印象の入力を促す。
【０１１６】
ユーザ印象入力画面１００８ａ〜１００８ｃは、図２９〜図３１のように、選択されたドキュメントデータの内容を表示する領域４３と、デザインの印象を表現する情報を列挙表示する領域４４とに分割される。
【０１１７】
制御部１０は、記憶部１２に保持されているデザインデータベースから、ステップＳ３０ａで選択されたドキュメントデータを読み出し、そのドキュメントデータをドキュメントデータ表示領域４３に画像形成して表示する。例えば、ウェブページのドキュメントデータが選択された場合、図２９〜図３１のように、デザインデータベースからそのドキュメントデータのＵＲＬを読み出し、そのＵＲＬからそのドキュメントデータを取り込んでディスプレイ上に表示する。
【０１１８】
さらに、制御部１０は、記憶部１２に保持されている印象表現データベースからデザインの印象を表現する情報（選択肢）を読み出し、印象表現表示領域４４に表示させる。印象表現データベースに含まれる印象を表現する情報は、ステップＳ１０の目標印象決定工程と同様、デザインの印象を端的に表現する形容詞群からなる文字情報、単一の色彩からなるカラーパッチ群、複数の色彩を組み合わせたカラーパレット群、デザインの印象を具象化して表した画像群、デザインの印象を抽象的に表現する抽象画群等から適宜選択して用いることが好適である。
【０１１９】
例えば、選択肢としてカラーパッチが選択された場合、図２９に示すように、印象情報データベースから複数のカラーパッチを読み出して印象表現表示領域４４に表示させる。同様に、カラーパレット、具象化された画像（コーヒーカップの絵）についても、図３０，図３１のように印象表現表示領域４４に表示させる。このとき、複数種の選択肢群についてデザインの印象に合った選択肢を選択させるための画像を印象表現表示領域４４に並べて表示させたり、適宜切り換えて表示させたりする方法を採ることが好ましい。また、図１３〜図１５と同様に、ユーザの年齢や性別等を取得するためのチェックボックス等を設けて、年代や性別等のユーザの特性を取得できるようにしてもよい。
【０１２０】
次に、ステップＳ３０ｃにおいて、ユーザは、入力部１４を用いて、ドキュメントデータ表示領域４３に表示されたドキュメントのデザインを見たときに感ずる印象に合った選択肢を選択する。
【０１２１】
例えば、図２９のように、カラーパッチが列挙された印象表現表示領域４４にマウスポインタ５を表示しておき、ユーザはマウスを用いて、デザインから受ける印象に合致するカラーパッチにマウスポインタ５を移動させ、マウスをクリックして選択する。カラーパッチの選択が終了すると、マウスポインタ５を決定ボタン４７の位置まで移動させてマウスをクリックすることによって、選択されたカラーパッチが記憶部１２に保存される。同様に、図３０，図３１の印象表現表示領域４４においてもそれぞれデザインに要求される印象にあうカラーパレット及びコーヒーカップの絵にマウスポインタ５を合わせてクリックすることによって選択し、選択した後に決定ボタン４７にマウスポインタ５を合わせてクリックすることによって、選択されたカラーパレット及びコーヒーカップの絵を入力することができる。選択された選択肢は記憶部１２に保存される。
【０１２２】
ユーザの印象を取得する方法はこれに限られるものではない。すなわち、ユーザがドキュメントデータのデザインに対する印象を容易に入力できるものであれば良い。
【０１２３】
次に、ステップＳ３０ｄでは、ステップＳ３０ｃにおいて選択された選択肢（カラーパッチ、カラーパレット、コーヒーカップの絵）に基づいてユーザ嗜好情報データベースが登録される。ユーザ嗜好情報データベースは、図４〜図６に示した印象マップで表される各評価空間において選択された選択肢の配置位置の組み合わせに応じて登録される。
【０１２４】
まず、ステップＳ３０ｃで選択された情報に基づいてユーザ嗜好評価パターンが求められる。上記目標印象情報決定処理と同様に、図１６に示すように、図２９に示すユーザ印象入力画面１００８ａにおいてカラーパッチ（図中の第２３番目のカラーパッチ）が選択された場合、そのカラーパッチが割り付けられた印象マップ上のＩ軸上の座標とＩＩ軸上の座標とをプロットする。同様に、図３０に示すユーザ印象入力画面１００８ｂにおいてカラーパレットが選択された場合、選択されたカラーパレットが割り付けられたＩＩＩ軸上の座標とＩＶ軸上の座標とをプロットする。さらに、図３１に示すユーザ印象入力画面１００８ｃにおいてコーヒーカップが選択された場合、選択されたコーヒーカップの絵が割り付けられたＶ軸上の座標とＶＩ軸上の座標とをプロットする。このようにして得られたユーザ嗜好評価パターンは、記憶部１２にユーザ嗜好情報データベースとして登録される。
【０１２５】
このとき、１つの印象マップに対して複数の選択肢が選択されている場合には、それぞれの座標軸（評価軸）上における複数の選択肢の平均位置を示す座標をプロットする。このようにプロットされたユーザ嗜好評価パターンは、各印象マップで表される評価空間において選択された選択肢の配置位置の組み合わせを表す。
【０１２６】
ステップＳ３０ｅでは、ステップＳ３０ｄで求められたユーザ嗜好評価パターンに基づいて、ユーザ印象情報が決定され、ユーザ印象情報データベースが登録される。この処理には、ステップＳ１０の目標印象決定工程で用いられた印象評価データベースが使用される。
【０１２７】
ステップＳ３０ｅの処理は、図３２に示すサブルーチンに沿って行われる。ステップＳ３０ｅ−１では、まず、ステップＳ３０ｄで求められたユーザ嗜好評価パターンにおける各軸における各点について、その点と隣接するスコアとの距離が算出される。この処理は、ステップＳ１０ｄ−１と同様である。ステップＳ３０ｅ−２では、嗜好因子データベースに登録されている各軸の各スコアの選択度数に基づいて、ステップＳ３０ｄで求められた嗜好評価パターンにおける各点について、各座標軸における各スコアとの補正後の距離が算出される。この処理は、ステップＳ１０ｄ−２と同様である。すなわち、補正後の距離は、補正前の距離にスコアの選択度数Ｎｎを乗算し、その値を対応する軸における総てのスコアの選択度数の総和値Ｎｔｏｔａｌで除算することによって算出される。
【０１２８】
ステップＳ３０ｅ−３では、ステップＳ３０ｄにおいて求められたユーザ嗜好評価パターンと印象情報毎に定められた基準パターンとのマッチングに基づいてユーザ印象情報が決定される。この処理は、ステップＳ１０ｄ−３と同様である。すなわち、図１９に示すように印象評価データベースに登録されている各印象情報の基準パターンとＳ３０ｄで求められたユーザ嗜好評価パターンとのマッチング処理によって、ユーザ嗜好評価パターンを構成する点と印象情報の基準パターンを構成する点との距離の自乗和が最も小さい印象情報をユーザ印象情報として抽出する。抽出されたユーザ印象情報は、図３３に示すように、評価対象となったデザイン識別番号及びドキュメントに関連付けてユーザ印象情報データベースに登録される。ユーザ印象情報は、実際に制作されたドキュメントのデザインからユーザが受ける印象を示す印象情報である。
【０１２９】
なお、目標印象情報と同様に、印象情報毎に設定される基準パターンは、年齢（年代）、性別等のユーザの特性に応じてさらに細かく設定されることも好適である。例えば、アンケート等に基づいて印象情報毎に基準パターンを設定する際に、被験者の年齢層や性別毎にアンケート結果を分類して基準パターンを設定する。一方、図２９から図３１に示すように、ユーザの年代の入力部２１やユーザの性別の入力部２３を設けてデザインの対象となる閲覧者の特性を取得し、その特性に応じた基準パターンとのマッチング処理を行う。これによって、特定の年齢や性別のユーザの嗜好を適切に評価した印象の評価値を求めることができる。
【０１３０】
また、本実施の形態では、カラーパッチ群、カラーパレット群、コーヒーカップの絵群（具象化された画像群）の組み合わせによって嗜好情報データベースを登録したが、これに限定されるものではない。ドキュメントのデザインの印象を表す選択肢群であればよい。
【０１３１】
ステップＳ３０ｅ−３が終了すると、メインルーチンに処理が戻される。メインルーチンでは、ステップＳ０へ処理を戻す。
【０１３２】
３−４．印象提示工程
ステップＳ０において、印象提示ボタン２６がクリックされると、ステップＳ４０の印象提示工程に処理が移行される。ステップＳ４０の印象提示工程は、図３４に示すフローチャートに沿って実行され、ステップＳ１０で求めた目標印象情報データベース及び嗜好情報データベースの内容、ステップＳ２０で求めたデザイン印象情報、及び、ステップＳ３０で求めたユーザ印象情報データベース及びユーザ嗜好情報データベースの内容の表示を行う。
【０１３３】
まず、ステップＳ４０ａにおいて、制御部１０は、表示選択画面１０１０を出力部１６に表示させ、いずれの情報の表示を行うかを操作者に選択させる。
【０１３４】
表示選択画面１０１０では、図３５のように、表示の対象となるデザインの識別番号を入力ボックス５４に入力する。また、チェックボックス５０を選択して、決定ボタン５２をクリックすることによって、目標印象情報データベース及び嗜好情報データベースの比較表示、デザイン印象情報の表示、並びに、ユーザ印象情報データベース及びユーザ嗜好情報データベースの比較表示のいずれか１つ以上を選択する。
【０１３５】
次に、表示する情報の入力を受けた制御部１０は、ステップＳ４０ｂにおいて、印象マップ画面１０１２上に目標印象情報、デザイン印象情報、ユーザ印象情報を表示する。印象マップ画面１０１２は、図３６に示すように、図２０に示した印象マップを表示するものである。印象マップ画面１０１２は、複数の領域に分割されており、各々の領域に領域識別番号が付与されている。
【０１３６】
一方、記憶部１２には、図３７に示すように、印象表示用データベースとして、領域識別番号毎に印象を表現する印象情報が対応付けられて保持されている。制御部１０は、印象表示用データベースを参照することによって、目標印象情報、デザイン印象情報、ユーザ印象情報が対応付けられている領域識別番号を抽出し、抽出された領域識別番号が付与された印象マップ画面１０１２上の領域に対応する印象情報を表示する。
【０１３７】
ステップＳ４０ａにおいて目標印象情報の表示が選択された場合、目標印象情報データベースが参照され、ステップＳ４０ａにおいて指定されたデザイン識別番号に関連付けて登録されている目標印象情報が抽出される。そして、印象表示用データベースが参照され、図３８のように、抽出された目標印象情報に関連付けて登録されている領域識別番号に対応する印象マップ画面１０１２上の領域に目標印象情報を重ね合わせて表示する。
【０１３８】
ステップＳ４０ａにおいてデザイン印象情報が選択された場合、デザインデータベースが参照されて、図３９のように、指定されたデザイン識別番号に関連付けられたデザイン印象情報が印象マップ画面１０１２に重ね合わせて表示される。このとき、デザインデータベースに含まれるドキュメントデータ毎に情報の表示色を変更する等して、表示された情報の識別を容易にすることが好ましい。また、各々のデザイン印象情報の代わりに、又は、各々のデザイン印象情報と併せて、それらに対応するドキュメントデータ自体を表示することも好適である。このとき、デザインデータベースに含まれるドキュメントデータ毎に情報の表示色を変更する等して、複数のデザインについてのデザイン印象情報を同時に表示させてもよい。
【０１３９】
ステップＳ４０ａにおいてユーザ印象情報の表示が選択された場合、ユーザ印象情報データベースが参照され、指定されたデザイン識別番号に関連づけられたユーザ印象情報が抽出される。そして、印象表示用データベースが参照され、図４０のように、抽出されたユーザ印象情報に関連付けて登録されている領域識別番号に対応する印象マップ画面１０１２上の領域に抽出されたユーザ印象情報を重ね合わせて表示する。このとき、ユーザ印象情報データベースに含まれるドキュメントデータ毎に情報の表示色を変更する等して、複数のデザインについてのユーザ印象情報を同時に表示させてもよい。
【０１４０】
本実施の形態では、デザインの印象の傾向を示すＩ座標〜ＶＩ座標の座標軸（嗜好因子スケール）で表される嗜好評価パターンと各印象情報の基準パターンとマッチング処理によって、ドキュメントのデザイン制作の目標とすべき目標印象情報、及び、実際のドキュメントを見たユーザが受けるユーザ印象情報を同一の基準印象マップ上に表現する。これにより、ユーザは、デザイン制作の目標とすべき印象や実際のデザインから受ける印象を同一の印象の傾向を示す印象マップ上の位置で直感的に把握することができる。
【０１４１】
さらに、ステップＳ４０ａにおいて、目標印象情報とデザイン印象情報の両方が選択された場合、図４１のように、デザイン識別番号に関連付けられた目標印象情報及びデザイン印象情報の両方を印象マップ画面１０１２に重ね合わせて表示させてもよい。同様に、目標印象情報とユーザ印象情報の両方が選択された場合、デザイン印象情報とユーザ印象情報の両方が選択された場合、又は目標印象情報、デザイン印象情報及びユーザ印象情報の全てが選択された場合にも各々の情報を印象マップ画面１０１２に重ね合わせて表示させてもよい。
【０１４２】
このように、目標印象情報、デザイン印象情報及びユーザ印象情報を１つの印象マップ画面１０１２に重ね合わせて表示することによって、デザイン制作者、依頼主及びユーザがデザイン制作の目標となる印象、実際のデザインが有する印象及び実際のデザインからユーザが受け取る印象を視覚的に比較しながら確認することができる。このとき、印象マップ画面１０１２上では、各々の情報が印象傾向を示す座標軸に沿って表示されるため、目標となる印象、実際のデザインの印象及びユーザの受け取る印象がどの程度相違するのか、その相違はどのような傾向であるのか、等を明確に把握することができる。
【０１４３】
さらに、ステップＳ２０において、他社のウェブページや他の商品のデザインに対してデザイン印象情報を求めておくことにより、これらの情報と目標印象情報を比較して確認することもできる。これにより、他社のウェブページや他の商品の印象と制作するデザインの目標印象との一致又は相違を把握することが容易となる。
【０１４４】
さらに、目標印象情報とユーザ印象情報の両方が表示対象として指定された場合、目標印象情報とユーザ印象情報との相違を客観的に評価した結果をユーザに呈示してもよい。すなわち、ステップＳ１０において目標印象情報を決定する際に求めた嗜好評価パターンと、ステップＳ３０においてユーザ印象情報を決定する際に求めたユーザ嗜好評価パターンと、の各嗜好因子スケール上の距離に基づいて目標印象情報とユーザ印象情報との相違を客観的に評価する。
【０１４５】
具体的には、図４２に示すフローチャートに沿って相違を評価することができる。
【０１４６】
ステップＳ４０ｂ−１では、目標印象情報に対する嗜好評価パターンにおける各軸における各点について、その点と隣接するスコアとの距離が算出される。ステップＳ４０ｂ−１は、ステップＳ１０ｄ−１と同様に行うことができる。
【０１４７】
ステップＳ４０ｂ−２では、嗜好因子データベースに登録されている各軸の各スコアの選択度数に基づいて、目標印象情報に対する嗜好評価パターンにおける各点について、各座標軸における各スコアとの補正後の距離が算出される。ステップＳ４０ｂ−２は、ステップＳ１０ｄ−２と同様に行うことができる。もちろん、ステップＳ４０ｂ−１，Ｓ４０ｂ−２の代わりに、ステップＳ１０ｄ−１，Ｓ１０ｄ−２において算出された補正された距離を記憶部１２に保存しておき、それを読み出して用いてもよい。
【０１４８】
ステップＳ４０ｂ−３では、ユーザ印象情報に対するユーザ嗜好評価パターンにおける各軸における各点について、その点と隣接するスコアとの距離が算出される。ステップＳ４０ｂ−３は、ステップＳ３０ｅ−１と同様に行うことができる。
【０１４９】
ステップＳ４０ｂ−４では、嗜好因子データベースに登録されている各軸の各スコアの選択度数に基づいて、ユーザ印象情報に対するユーザ嗜好評価パターンにおける各点について、各座標軸における各スコアとの補正後の距離が算出される。ステップＳ４０ｂ−４は、ステップＳ３０ｅ−２と同様に行うことができる。もちろん、ステップＳ４０ｂ−３，Ｓ４０ｂ−４の代わりに、ステップＳ３０ｅ−１，Ｓ３０ｅ−２において算出された補正された距離を記憶部１２に保存しておき、それを読み出して用いてもよい。
【０１５０】
ステップＳ４０ｂ−５では、目標印象情報に対する嗜好評価パターンとユーザ印象情報に対するユーザ嗜好評価パターンとのマッチングに基づいて目標印象情報とユーザ印象情報との相違を客観的に評価する。ステップＳ４０ｂ−５は、ステップＳ１０ｄ−３及びステップＳ３０ｅ−３と同様に行うことができる。すなわち、嗜好因子スケールにおける嗜好評価パターンを構成する点とユーザ嗜好評価パターンを構成する点との距離の自乗和を相違の評価値とすることができる。図４３に示すように、目標印象情報の嗜好評価パターンを構成するＩ軸上の点ｄ１とＩ軸上のスコア２との補正後の距離Ｌｄ２が−０．２であり、ユーザ印象情報のユーザ嗜好評価パターンを構成するＩ軸上の点ｅ１とにＩ軸上のスコア２との補正後の距離Ｌｅ２が０．５であった場合、距離Ｌｄ２から距離Ｌｅ２を減算した値Ｌｅ２−Ｌｄ２＝０．５−（−０．２）＝０．７が点ｄ１と点ｅ１とのＩ軸上の補正後の距離Ｌｙ１となる。同様にＩＩ軸上の点ｄ２と点ｅ２との補正後の距離Ｌｙ２、ＩＩＩ軸上の点ｄ３と点ｅ３との補正後の距離Ｌｙ３、ＩＶ軸上の点ｄ４と点ｅ４との補正後の距離Ｌｙ４、Ｖ軸上の点ｄ５と点ｅ５との補正後の距離Ｌｙ５、ＶＩ軸上の点ｄ６と点ｅ６との補正後の距離Ｌｙ６を算出する。そして、それらの補正後の距離Ｌｙ１〜Ｌｙ６の自乗和Ｌｙ１2＋Ｌｙ２2＋Ｌｙ３2＋Ｌｙ４2＋Ｌｙ５2＋Ｌｙ６2を相違の評価値とする。
【０１５１】
算出された評価値は、図４４に示すように、印象マップ画面１０１２に付加して表示してもよい。このように、目標印象情報とユーザ印象情報との相違を評価した評価値をユーザに呈示することによって、ユーザは目標印象情報とユーザ印象情報との相違を客観的に把握することができる。例えば、デザイナー等は客観的な相違に基づいて、実際のデザインを修正する等の処理を行うことができる。
【図面の簡単な説明】
【０１５２】
【図１】本発明の実施の形態におけるデザイン制作支援装置の全体構成のブロック図を示す。
【図２】本発明の実施の形態におけるマネジメントサーバの構成のブロック図を示す。
【図３】本発明の実施の形態における処理のフローチャートを示す図である。
【図４】本発明の実施の形態におけるカラーパッチを割り当てた印象マップを示す図である。
【図５】本発明の実施の形態におけるカラーパレットを割り当てた印象マップを示す図である。
【図６】本発明の実施の形態における具象化された画像を割り当てた印象マップを示す図である。
【図７】本発明の実施の形態における各嗜好因子スケール上の点から構成される嗜好評価パターンの例を示す図である。
【図８】本発明の実施の形態における嗜好因子スケール（Ｉ軸）の各スコアの例を示す図である。
【図９】本発明の実施の形態における嗜好因子スケール（ＩＩ軸）の各スコアの例を示す図である。
【図１０】本発明の実施の形態における嗜好因子データベースの登録例を示す図である。
【図１１】本発明の実施の形態におけるメインメニュー画面を示す図である。
【図１２】本発明の実施の形態における目標印象決定工程のフローチャートを示す図である。
【図１３】本発明の実施の形態における目標印象入力画面を示す図である。
【図１４】本発明の実施の形態における目標印象入力画面を示す図である。
【図１５】本発明の実施の形態における目標印象入力画面を示す図である。
【図１６】本発明の実施の形態における嗜好評価パターンの求め方を説明する図である。
【図１７】本発明の実施の形態における目標印象情報の決定処理のフローチャートを示す図である。
【図１８】本発明の実施の形態における嗜好評価パターンを構成する点と各スコアとの補正前及び補正後の距離を求める方法を説明する図である。
【図１９】本発明の実施の形態における印象評価データベースを示す図である。
【図２０】本発明の実施の形態における基準印象マップを示す図である。
【図２１】本発明の実施の形態における嗜好評価パターンと印象情報の基準パターンとのマッチング処理を説明する図である。
【図２２】本発明の実施の形態におけるデザイン印象評価工程のフローチャートを示す図である。
【図２３】本発明の実施の形態におけるデザイン印象評価画面を示す図である。
【図２４】本発明の実施の形態におけるデザインデータベースを示す図である。
【図２５】本発明の実施の形態におけるウェブページの例を示す図である。
【図２６】本発明の実施の形態におけるデザイン評価データベースを示す図である。
【図２７】本発明の実施の形態におけるユーザ印象取得工程のフローチャートを示す図である。
【図２８】本発明の実施の形態におけるドキュメントデータ選択画面を示す図である。
【図２９】本発明の実施の形態におけるユーザ印象入力画面を示す図である。
【図３０】本発明の実施の形態におけるユーザ印象入力画面を示す図である。
【図３１】本発明の実施の形態におけるユーザ印象入力画面を示す図である。
【図３２】本発明の実施の形態におけるユーザ印象決定工程のフローチャートを示す図である。
【図３３】本発明の実施の形態におけるにユーザ印象情報データベースを示す図である。
【図３４】本発明の実施の形態における印象提示工程のフローチャートを示す図である。
【図３５】本発明の実施の形態における表示選択画面を示す図である。
【図３６】本発明の実施の形態における印象マップ画面を示す図である。
【図３７】本発明の実施の形態における印象表示用データベースを示す図である。
【図３８】本発明の実施の形態における目標印象情報を重ね合わせて表示した印象マップ画面を示す図である。
【図３９】本発明の実施の形態におけるデザイン印象情報を重ね合わせて表示した印象マップ画面を示す図である。
【図４０】本発明の実施の形態におけるユーザ印象情報を重ね合わせて表示した印象マップ画面を示す図である。
【図４１】本発明の実施の形態における目標印象情報及びデザイン印象情報を重ね合わせて表示した印象マップ画面を示す図である。
【図４２】本発明の実施の形態における目標印象情報の嗜好評価パターンとユーザ印象情報の嗜好評価パターンとのマッチング処理のフローチャートである。
【図４３】本発明の実施の形態における目標印象情報の嗜好評価パターンとユーザ印象情報の嗜好評価パターンとのマッチング処理を説明する図である。
【図４４】本発明の実施の形態における目標印象情報とユーザ印象情報の相違を示す評価値を重ね合わせて表示した印象マップ画面を示す図である。
【図４５】デザイン制作のフローチャートを示す図である。
【符号の説明】
【０１５３】
５  マウスポインタ、１０  制御部、１２  記憶部、１４  入力部、１５  入力ボックス、１６  出力部、１８  ネットワークインターフェース部、２０  目標印象決定ボタン、２２  デザイン印象評価ボタン、２４  ユーザ印象取得ボタン、２６  印象提示ボタン、２８  チェックボックス、２９  決定ボタン、３０  入力ボックス、３２  ウェブデザイン取込ボタン、３４  ドキュメント取込ボタン、３６  背景領域、３７  メイン領域、３８  アクセント領域、４０  チェックボックス、４２  選択決定ボタン、４３  ドキュメントデータ表示領域、４４  印象表現表示領域、４６  チェックボックス、４７  決定ボタン、４８  スクロールボタン、５０  チェックボックス、５２  決定ボタン、５４  入力ボックス、６２ａ  Ｘ座標軸、６２ｂ  Ｙ座標軸、１００  マネジメントサーバ、１０２ａ，１０２ｂ，１０２ｃ  クライアントコンピュータ、１０４  ネットワーク、１０００  メインメニュー画面、１００２  目標印象入力画面、１００４  デザイン取込画面、１００６  ドキュメントデータ選択画面、１００８  ユーザ印象入力画面、１０１０  表示選択画面、１０１２  印象マップ画面。
【図１】
2008065371.tif 000003
【図２】
2008065371.tif 000004
【図３】
2008065371.tif 000005
【図７】
2008065371.tif 000006
【図８】
2008065371.tif 000007
【図９】
2008065371.tif 000008
【図１０】
2008065371.tif 000009
【図１１】
2008065371.tif 000010
【図１２】
2008065371.tif 000011
【図１７】
2008065371.tif 000012
【図１８】
2008065371.tif 000013
【図１９】
2008065371.tif 000014
【図２０】
2008065371.tif 000015
【図２１】
2008065371.tif 000016
【図２２】
2008065371.tif 000017
【図２３】
2008065371.tif 000018
【図２４】
2008065371.tif 000019
【図２５】
2008065371.tif 000020
【図２６】
2008065371.tif 000021
【図２７】
2008065371.tif 000022
【図２８】
2008065371.tif 000023
【図３２】
2008065371.tif 000024
【図３３】
2008065371.tif 000025
【図３４】
2008065371.tif 000026
【図３５】
2008065371.tif 000027
【図３６】
2008065371.tif 000028
【図３７】
2008065371.tif 000029
【図３８】
2008065371.tif 000030
【図３９】
2008065371.tif 000031
【図４０】
2008065371.tif 000032
【図４１】
2008065371.tif 000033
【図４２】
2008065371.tif 000034
【図４３】
2008065371.tif 000035
【図４４】
2008065371.tif 000036
【図４５】
2008065371.tif 000037
【図４】
2008065371.tif 000038
【図５】
2008065371.tif 000039
【図６】
2008065371.tif 000040
【図１３】
2008065371.tif 000041
【図１４】
2008065371.tif 000042
【図１５】
2008065371.tif 000043
【図１６】
2008065371.tif 000044
【図２９】
2008065371.tif 000045
【図３０】
2008065371.tif 000046
【図３１】
2008065371.tif 000047